(57)【特許請求の範囲】
【請求項１】
次の（ａ）〜（ｄ）の構成を備えていて（ｅ）の特徴を有するローラー式塗装具。
（ａ）握り部。
（ｂ）握り部の中心線に対して垂直な第１支持部と、第１支持部につながっていて第１支持部に対して垂直な第２支持部と、第２支持部につながっていて第２支持部に平行でない第３支持部と、第３支持部につながっていて前記握り部に固定されている第４支持部とからなるローラー支持棒。
（ｃ）前記第１支持部に回転可能に取り付けられた塗装用のローラー。
（ｄ）前記第２支持部に沿って移動可能なスライド部と、スライド部に固定されていて前記ローラーの外周面の周方向に離れた複数個所に接触可能な接触体と、スライド部に固定されていて前記第３支持部に係止可能な第１係止部及び第２係止部とを備えるストッパー。
（ｅ）前記ストッパーが前記第２支持部に沿ってスライドすることで前記第１係止部が前記第３支持部に係止する第１状態と前記第２係止部が前記第３支持部に係止する第２状態とが切り換わり、前記第１状態では前記接触体が前記ローラーの外周面から離れており、前記第２状態では前記接触体が前記ローラーの外周面に接触して前記ローラーの回転を阻止する。
【請求項２】
請求項１に記載のローラー式塗装具において、前記接触体は、前記ローラーの外周面に接触可能な第１接触歯と第２接触歯を備えており、第１接触歯がローラーの外周面に接触する位置と、第２接触歯がローラーの外周面に接触する位置は、ローラーの外周面の周方向に離れていることを特徴とするローラー式塗装具。
【請求項３】
請求項２に記載のローラー式塗装具において、前記第１接触歯と第２接触歯は、それぞれ、ローラーの軸方向に配列された複数の歯を備えていることを特徴とするローラー式塗装具。
【請求項４】
請求項１に記載のローラー式塗装具において、前記ストッパーは、互いに平行であってその間隔が変化するように弾性的に変位可能な１対の脚部を備えており、これらの脚部の互いに対向する内面に１対の第１の凹部と１対の第２の凹部が形成されていて、１対の第１の凹部が前記第１係止部を構成し、１対の第２の凹部が前記第２係止部を構成していることを特徴とするローラー式塗装具。
【発明の詳細な説明】
【０００１】
【発明の属する技術分野】
この発明は、塗料やワックスを床面や壁面にローラーで塗装するときに使うローラー式塗装具に関するものである。
【０００２】
【従来の技術】
ローラー式塗装具を用いて塗料やワックスを床面や壁面に塗装する場合に、塗膜に気泡や凹凸が生じることがある。このような気泡や凹凸を除くために、回転を阻止した状態のローラーで塗膜をなでて仕上げ作業を行うことが知られている。そして、このような仕上げ作業を可能にするために、特開昭５９−１２３５６４号公報と実公平４−１０９４７号公報は、ローラーの回転を一時的に阻止する技術を開示している。この公知技術は、ローラーの端面に多数の係止凹部を設けて、この係止凹部にロックピンを挿入することで、ローラーの回転を阻止することができる。ロックピンの挿入・引き抜きの作業は、レリーズワイヤーに接続された操作レバーで行っている。
【０００３】
一方、別のタイプの回転阻止機構も知られている。特開平９−２０６６６１号公報の第１実施例では、先端が針のようにとがった１本の押し棒をローラーの外周面に押し付けることでローラーの回転を阻止している。押し棒の基端は、握り部に形成された貫通孔にスライド可能に挿入されていて、操作部（握り部の外にある）のおねじを、押し棒の基端（握り部の内部にある）のめねじにねじ込むことで、押し棒を握り部に固定することができる。また、同公報の第２実施例では、先端が二股に分かれた押し棒をローラーの外周面に押し付けるようになっている。そして、その押し棒は常時はばねの作用でローラーから離れるようになっており、ばねに抗して押し棒をローラーに押し付けることで、ローラーの回転を阻止することができる。
【０００４】
【発明が解決しようとする課題】
ローラーの側面に形成した係止凹部にロックピンを挿入するタイプの従来例は次の問題がある。第１に、ローラーの側面に係止凹部を形成しなければならない。ローラーは、ローラー支持棒に着脱可能に挿入されるものであって消耗品であり、これの側面に多数の係止凹部を形成することは、消耗品であるローラーのコストを上昇させる。また、当然ながら、市販の交換ローラーを使うことができず、使えるローラーに制約が生じる。第２に、ローラーの側面にロックピンを挿入するタイプなので、ローラーの回転を阻止した場合でも、ローラーの軸方向のガタは防ぐことができない。すなわち、ローラーは内側の固定部分（支持棒に着脱可能に固定される部分）と外側の回転部分との間に軸方向に多少のガタがあるが、このようなガタを防ぐことができない。また、このような軸方向のガタがあるために、ローラー側面の係止凹部がロックピンから外れてしまうおそれもある。第３に、ロックピンの挿入・引き抜きのための構成が、ロックピンとレリーズワイヤと操作レバーとの組み合わせという複雑な構成を採用しているので、比較的安価なローラー式塗装具にとっては、コスト上昇の大きな要因になる。
【０００５】
次に、特開平９−２０６６６１号公報の第１実施例には次の問題がある。第１に、針状の押し棒をローラーの外周面に押し付けても、ローラーの回転を確実に阻止するのが難しい。回転を確実に阻止しようと思えば、かなり強い力で押し棒をローラーの外周面に押しつけなければならない。第２に、押し棒の基端を挿入するための貫通孔を、握り部に形成する必要があり、市販のローラー式塗装具をそのまま使うことができない。第３に、押し棒をローラー接触位置に固定するためには、ねじを回す必要があり、操作に手間がかかる。
【０００６】
また、特開平９−２０６６６１号公報の第２実施例には次の問題がある。第１に、押し棒の先端が二股になっているので第１実施例よりはローラーの回転阻止機能が優れているが、ローラーの軸方向のガタまで確実に阻止するには不十分である。第２に、ローラーの回転を阻止した状態で塗膜の仕上げ作業をするには、ばねに抗して押し棒を押し続ける必要があり、作業者に負担を強いる。
【０００７】
この発明は上述の問題点を解決するためになされたものであり、その目的は、市販のローラー式塗装具をそのまま活用できるストッパー付きのローラー式塗装具を提供することにある。また、この発明の別の目的は、ストッパーの構造が簡単で、しかも、ローラーの回転と軸方向のガタを確実に阻止できるローラー式塗装具を提供することにある。
【０００８】
【課題を解決するための手段】
この発明のローラー式塗装具は握り部とローラー支持棒と塗装用のローラーとストッパーとを備えている。ローラー支持棒は、握り部の中心線に対して垂直な第１支持部と、第１支持部につながっていて第１支持部に対して垂直な第２支持部と、第２支持部につながっていて第２支持部に平行でない第３支持部と、第３支持部につながっていて前記握り部に固定されている第４支持部とからなる。ローラーは前記第１支持部に回転可能に取り付けられている。ストッパは、前記第２支持部に沿って移動可能なスライド部と、スライド部に固定されていてローラーの外周面の周方向に離れた複数個所に接触可能な接触体と、スライド部に固定されていて前記第３支持部に係止可能な第１係止部及び第２係止部とを備えている。そして、ストッパーが前記第２支持部に沿ってスライドすることで前記第１係止部が前記第３支持部に係止する第１状態と前記第２係止部が前記第３支持部に係止する第２状態とが切り換わり、第１状態では前記接触体が前記ローラーの外周面から離れており、第２状態では前記接触体が前記ローラーの外周面に接触して前記ローラーの回転を阻止する。
【０００９】
ストッパーは、ローラー支持棒の第２支持部と第３支持部とに取り付けられているものであって、市販のローラー式塗装具のローラー支持棒に何も手を加えずに、ストッパーを取り付けることができる。すなわち、ストッパーをローラーに対して接離可能なようにローラー式塗装具に取り付けるためには、ローラー支持棒に第２支持部（ローラーの軸方向に対して垂直になっている部分）が形成されていれば足りる。また、ストッパーを第１状態と第２状態とに切り換え可能に係止するためには、ローラー支持棒に第３支持部（第２支持部に平行でない部分。例えば、第２支持部に対して傾斜している部分）が形成されていれば足りる。このような第２支持部と第３支持部は、市販のローラー式塗装具に最初から備わっているものである。
【００１０】
ストッパーの接触体は、ローラーの外周面の周方向に離れた複数個所に接触可能なので、ローラーの回転を確実に阻止できる。具体的には、前記接触体は、前記ローラーの外周面に接触可能な第１接触歯と第２接触歯を備えており、第１接触歯がローラーの外周面に接触する位置と、第２接触歯がローラーの外周面に接触する位置は、ローラーの外周面の周方向に離れている。そして、より好ましくは、前記第１接触歯と第２接触歯は、それぞれ、ローラーの軸方向に配列された複数の歯を備えている。これにより、ローラーの軸方向のガタも確実に阻止できる。
【００１１】
【発明の実施の形態】
図１はこの発明のローラー式塗装具の第１の実施形態を示す平面図であり、図２はその斜視図である。これらの図において、このローラー式塗装具は握り部１０とローラー支持棒１２とローラー１４とストッパー１６からなる。握り部１０は手で握る部分である。ローラー支持棒１２はローラー１４を支持するための棒であり、その一端でローラー１４を支持しており、他端は握り部１０に固定されている。ローラー１４は塗料を塗布するためのものであり、ローラー支持棒１２に回転可能にかつ着脱可能に取り付けられている。ストッパー１６はローラー１４の回転を阻止するためのものであり、ローラー１４から離れた第１状態とローラー１４に接触する第２状態との間で移動できる。
【００１２】
ローラー支持棒１２は四つの支持部１８、２０、２２、２４から構成されていて、これらが１本の金属棒によって一体に形成されている。第１支持部１８は握り部１０の中心線１１に対して垂直に（図１の左右方向に）延びている。第２支持部２０は第１支持部１８につながっていて第１支持部１８に対して垂直に（図１の上下方向に）延びている。第３支持部２２は第２支持部２０につながっていて第２支持部２０に対して傾斜している。第４支持部２４は第３支持部２２につながっていて握り部１０に固定されている。
【００１３】
図３はローラー支持棒１２に取り付けられた状態のストッパー１６の拡大斜視図であり、図４はこのストッパー１６を別の方向から見た拡大斜視図である。これらの図において、ストッパー１６はスライド部２６と接触体２８と１対の脚部３０、３１を備えていて、合成樹脂（例えば、ポリプロピレンやナイロン）で一体に形成されている。スライド部２６はローラー支持棒１２の第２支持部２０に沿って移動可能である。スライド部２６には、図４に示すように、長手方向に延びる開口３８と、断面が円弧状の溝４０が形成されている。開口３８のところでスライド部２６をローラー支持棒１２の第２支持部２０に押し付けると、開口３８が弾性的に開いて第２支持部２０が溝４０に嵌まり込む。これにより、スライド部２６は第２支持部２０から容易には外れなくなる。ただし、スライド部２６は第２支持部２０に沿ってスライドできる。接触体２８はスライド部２６に固定されていて、図４に示すように、第１接触歯３２と第２接触歯３４と２本の中央突起３６とを備えている。第１接触歯３２と第２接触歯３４は、それぞれ６個の歯を備えている。２本の中央突起３６はローラーの軸方向に間隔を置いて形成されている。
【００１４】
１対の脚部３０、３１は互いに平行であり、その基端部はスライド部２６に固定されていて、片持ち状態になっている。脚部３０、３１の互いに対向する内面には、１対の第１の凹部４２、４３と、１対の第２の凹部４４、４５が形成されている。これらの凹部は、その長手方向が脚部３０、３１の長手方向に対して傾斜しており、ローラー支持棒１２の第３支持部２２（図３を参照。第２支持部２０に対して傾斜している）に係止可能である。第１の凹部４２、４３は第１係止部を構成しており、第２の凹部４４、４５は第２係止部を構成している。第１の凹部４２、４３が第３支持部２２に係止している第１状態では、接触体２８はローラー１４の外周面から離れている。一方、第２の凹部４４、４５が第３支持部２２に係止している第２状態では、接触体２８はローラー１４の外周面に接触して、ローラー１４の回転を阻止することになる。１対の脚部３０、３１は片持ち状態にあり、第１の凹部４２、４３に係止していたローラー支持棒の第３支持部２２が、第２の凹部４４、４５に移るときには、１対の脚部３０、３１は弾性的に変位して、その間隔が一時的に変化しうるものである。
【００１５】
１対の脚部３０、３１の基端部付近の外面には窪み４６、４７（図７も参照）が形成されている。窪み４６、４７を指で（例えば親指と人差し指で）上下から挟むことで、スライド部２６をスライドする動作が容易になる。
【００１６】
図５はストッパー１６が第１状態にある場合を示した拡大平面図である。通常は、ストッパー１６はこの第１状態にある。接触体２８はローラー１４の外周面から離れている。図７（ａ）は図５の７ａ−７ａ線で切断した断面図である。この状態では、ストッパー１６の１対の脚部３０、３１の第１の凹部４２、４３が、ローラー支持棒の第３支持部２２に係止している。なお、この図面における第３支持部２２の形状は楕円であり、これは、脚部３０、３１の手前の側面（図５の符号４８）を含む平面で切断したときの断面形状を示している。この第３支持部２２は、その長手方向に垂直な断面形状は円形であるが、第３支持部２２が脚部３０、３１に対して傾斜しているので、図７（ａ）では楕円になっている。
【００１７】
図６はストッパー１６が第２状態にある場合を示した拡大平面図である。ローラー１４の回転を阻止するときは、ストッパー１６をこの第２状態に移動する。接触体２８はローラー１４の外周面に接触している。図７（ｂ）は図６の７ｂ−７ｂ線で切断した断面図である。今度は、ストッパー１６の１対の脚部３０、３１の第２の凹部４４、４５が、ローラー支持棒の第３支持部２２に係止している。接触体２８の第１接触歯３２と第２接触歯３４と中央突起３６は、ローラー１４の外周面に接触し、さらに、外周面から内部に向かってある程度食い込んでいる。ローラー１４の外周面は塗料を含ませやすいように起毛状になっており、この起毛部分に第１接触歯３２と第２接触歯３４と中央突起３６が食い込むことになる。第１接触歯３２がローラー１４の外周面に接触する位置と、第２接触歯３４がローラー１４の外周面に接触する位置は、周方向に所定距離だけ離れている。
【００１８】
次に、このローラー式塗装具の使い方を説明する。通常は、図５に示すようにストッパー１６を第１状態まで下げておいて、ローラー１４が自由に回転できるようにする。この状態でローラー１４に塗料やワックス（例えば、合成樹脂ワックス）を含ませてから、握り部１０（図１）を手で持って、塗装面（床面や壁面）の上でローラー１４を転がすことで塗装作業をする。このローラー式塗装具は反転して使うこともできる。例えば、図１の右側に壁面があって、その壁面の近くの床面を塗装したいときは、ローラー支持棒１２の第２支持部２０やストッパー１６が右側の壁面にぶつかって、壁面と床面の隅部に近い床面がうまく塗装できないことがある。その場合は、握り部１０を中心にしてローラー式塗装具を反転する（１８０度回転する）。そうすると、ローラー支持棒２２とストッパー１６が左側に来て、右側の壁面近くの床面がうまく塗装できる。このように反転をした場合にも、ストッパー１６の機能やその接離動作が全く同じになるようにするために、ストッパー１６の形状は、図７（ａ）に示すように、上下対称になっている。
【００１９】
塗料をローラーで塗布すると（特に厚塗りをすると）、塗膜に気泡（ピンホール）や凹凸が生じることがある。その場合は、図７（ａ）の窪み４６、４７を指で挟んでから、ストッパー１６を、ローラー支持棒の第２支持部２０（図５を参照）に沿ってスライドして、図７（ｂ）の第２状態にする。そうすると、接触体２８がローラー１４の外周面に接触してローラー１４の回転を阻止する。このように回転を阻止されたローラー１４で塗膜の表面をなでると、気泡や凹凸が消えてムラのない滑らかな仕上がりとなる。なお、回転を阻止されたローラー１４で仕上げ作業をするときは、握り部１０を軽く手で持って、ローラー１４を塗膜上ですべらすのがよい。ローラー１４にあまり力をかけると塗膜が剥がれるおそれがある。
【００２０】
このストッパー１６は、第１接触歯３２と第２接触歯３４が、ローラー１４の外周面における周方向に離れた位置に接触するので、ローラー１４の回転を確実に阻止できる。さらに、中央突起３６が第１接触歯３２と第２接触歯３４の間でローラー１４に接触するので、ローラー１４の回転の阻止がより確実になる。また、図４に示すように、第１接触歯３２と第２接触歯３４が、それぞれ、ローラー１４の軸方向に並んだ６個の歯を備えているので、ローラー１４の軸方向のガタも確実に防ぐ。これにより、気泡や凹凸を除く仕上げ作業のときに、ローラー１４を確実に固定することができる。
【００２１】
このローラー式塗装具は、ローラー支持棒を備える市販のローラー塗装具に何も手を加えずに、単に別個のストッパーをローラー支持棒に取り付けるだけでストッパー付きのローラー式塗装具になる。また、傾斜している第３支持部を利用して、ストッパーを二つの係止位置で係止できるようにしており、ストッパーを係止するための構造がきわめて簡単である。
【００２２】
次に、この発明の第２の実施形態を説明する。図８は第２の実施形態で用いるストッパー５０の斜視図であり、図９はその側面図である。ストッパー５０以外の構成は第１の実施形態と同じである。このストッパー５０が図４に示す第１の実施形態のストッパー１６と異なる点は、スライド操作用の窪み４６、４７（図７を参照）に代えてスライド操作用の突起５２、５４（図９を参照）を設けた点にある。突起５２、５４は１対の脚部３０、３１の根元付近に設けられていて、脚部３０、３１よりも幅が広くて、脚部３０、３１の外面（脚部３０の上面及び脚部３１の下面）から外側に（上方及び下方に）突き出している。突起５２、５４の前端には曲面５６、５８が形成され、後端にも曲面６０、６２が形成されている。これらの曲面は、突起５２、５４の前端及び後端の角部をなくして、突起に指をかけたときに指が痛くならないようにしている。図９において、ストッパー５０をローラー（図の左側にある）から離すときは、突起５２、５４の前端の曲面５６、５８に親指と人差し指をかけて、ストッパー５０を手前に（図の右方向に）引く。ストッパー５０をローラーに接触させるときは、突起５２、５４の後端の曲面６０、６２に親指と人差し指をかけて、ストッパー５０を前方に（図の左方向に）押し出す。
【００２３】
次に、この発明の第３の実施形態を説明する。図１０は第３の実施形態の平面図である。この第３の実施形態が図１の第１の実施形態と異なる点は、主としてローラー支持棒６４の形状にある。また、それに伴ってストッパー１６の係止部（凹部）も変更している。まず、ローラー支持棒６４は、第１支持部１８と第２支持部２０と第３支持部６６と第４支持部６８とからなる。第１支持部１８と第２支持部２０は図１の第１の実施形態と同じである。第３支持部６６は、図１の第１の実施形態とは異なっていて、第２支持部２０に対して垂直（第１支持部１８に平行）になっている。それに伴って、第４支持部６８は第１の実施形態と比べて長くなっている。第３支持部６６はストッパー１６の脚部の長手方向に対して垂直に交差するので、ストッパー１６の脚部に形成する２対の凹部（第３支持部６６に係止する）も脚部の長手方向に対して垂直に形成することになる。
【００２４】
このように、この発明のローラー式塗装具は、ローラー支持棒の第３支持部が第２支持部に対して傾斜していても（第１の実施形態）、垂直であっても（第３の実施形態）、そのどちらにも適用できる。要は、第３支持部が第２支持部に対して平行でなければ、第３支持部のところでストッパーの脚部を係止することが可能になる。
【００２５】
【発明の効果】
この発明のローラー式塗装具は、ローラー支持棒の第２支持部と第３支持部に取り付けることができるようなストッパーを備えているので、市販のローラー式塗装具に何も手を加えずにストッパー付きのローラー式塗装具とすることができる。また、このストッパーの接触体はローラーの外周面の周方向に離れた複数個所に接触できるのでローラーの回転を確実に阻止できる。さらに、前記接触体にローラーの軸方向に配列された複数の歯を設けることで、ローラーの軸方向のガタも確実に阻止できる。
【図面の簡単な説明】
【図１】この発明のローラー式塗装具の第１の実施形態を示す平面図である。
【図２】図１に示すローラー式塗装具の斜視図である。
【図３】ローラー支持棒に取り付けられた状態のストッパーの拡大斜視図である。
【図４】ストッパーを別の方向から見た拡大斜視図である。
【図５】ストッパーが第１状態にある場合を示した拡大平面図である。
【図６】ストッパーが第２状態にある場合を示した拡大平面図である。
【図７】（ａ）は図５の７ａ−７ａ線で切断した断面図であり、（ｂ）は図６の７ｂ−７ｂ線で切断した断面図である。
【図８】この発明のローラー式塗装具の第２の実施形態で使用するストッパーの斜視図である。
【図９】図８に示すストッパーの側面図である。
【図１０】この発明のローラー式塗装具の第３の実施形態の平面図である。
【符号の説明】
１０  握り部
１２  ローラー支持棒
１４  ローラー
１６  ストッパー
１８  第１支持部
２０  第２支持部
２２  第３支持部
２４  第４支持部
２６  スライド部
２８  接触体
３０、３１  脚部
３２  第１接触歯
３４  第２接触歯
３６  中央突起
４２、４３  第１の凹部
４４、４５  第２の凹部
【図１】
0003598073.tif 000002
【図２】
0003598073.tif 000003
【図３】
0003598073.tif 000004
【図４】
0003598073.tif 000005
【図５】
0003598073.tif 000006
【図６】
0003598073.tif 000007
【図７】
0003598073.tif 000008
【図８】
0003598073.tif 000009
【図９】
0003598073.tif 000010
【図１０】
0003598073.tif 000011